(57)【要約】【課題】錆や砂などの異物が入り込んだ場合にも取手を起立させ易いうえ、ワンタッチの動作で扉が開いてしまうことのない電気電子機器収納用箱のハンドル装置を提供する。【解決手段】本発明のハンドル装置は、電気電子機器収納用箱の扉に取付けられるハンドル本体１０と、このハンドル本体１０に起伏可能に設けられ係止爪１３を動作させる取手１１と、取手１１の操作を可能とする操作部２０と、操作部２０を操作したときに取手１１をばね力によって所定位置まで引き起こす引き起こし部２１とを備える。操作部２０を更に操作すると、操作部２０に加わる荷重が引き起こし部２１に伝わり、取手１１を強制的に引き起こす。【選択図】図１
2014163096.tif 000002
【特許請求の範囲】
【請求項１】
電気電子機器収納用箱の扉に取付けられるハンドル本体と、このハンドル本体に起伏可能に設けられ係止爪を動作させる取手と、取手の操作を可能とする操作部と、この操作部を操作したときに取手をばね力によって所定位置まで引き起こす引き起こし部と、を備えたことを特徴とする電気電子機器収納用箱のハンドル装置。
【請求項２】
操作部を更に操作すると、操作部に加わる荷重が引き起こし部に伝わり、取手を強制的に引き起こす構造としたことを特徴とする請求項１記載の電気電子機器収納用箱のハンドル装置。
【請求項３】
取手は反転ばねによって、引き起こし状態と定常状態の何れかの方向に付勢されていることを特徴とする請求項２記載の電気電子機器収納用箱のハンドル装置。
【請求項４】
引き起こし部のばね力による取手の引き起こし量を、取手が反転ばねによって定常状態に付勢されている範囲内としたことを特徴とする請求項３記載の電気電子機器収納用箱のハンドル装置。
【請求項５】
操作部は常時取手端部に係合する方向へばね付勢されたものであることを特徴とする請求項２記載の電気電子機器収納用箱のハンドル装置。
【発明の詳細な説明】
【技術分野】
【０００１】
本発明は、取手を引き起こすための押しボタンを備えた電気電子機器収納用箱のハンドル装置に関するものである。
【背景技術】
【０００２】
電気電子機器収納用箱のハンドル装置としては、定常状態（施錠状態）では取手がハンドル本体の内部に収納されており、押しボタンを押すことによって取手をばね力で起立させ、起立した取手を回動することによって係止板を回転させ、開錠操作を行う起立回転タイプのハンドル装置（特許文献１）がある。
【０００３】
また、取手を引き起こすだけでリンク機構により開錠操作を行う、跳ね上げタイプのハンドル装置(特許文献２）もある。このハンドル装置は、鎖錠状態においては係止爪が箱本体の係止部に噛み込んでおり、取手も収納方向にばね付勢されている。しかし取手を強制的に引き起こしてリンク機構の中立線を越えると、反転ばねが取手を起立方向に付勢して跳ね上げ、係止爪が箱本体の係止部から外れて開錠状態となる。
【０００４】
上記した起立回転タイプのハンドル装置は、押しボタンを操作することで操作方法が誰にも分かり易い利点がある。また押しボタンを押しても取手が起立するだけで係止板の係合が外れず鎖錠状態にあり、その後に取手を回動させて始めて係止板を外すことができるので、風が強いときなどに押ボタンを押すと同時に急に扉が開いてしまう危険がないという利点もある。
【０００５】
しかしながら、取手に錆や砂などの異物が入り込んだときや、パッキンの圧力が高く取手が片側に押し付けられるときなど、押ボタンを押しても取手が起立しにくいという問題があった。このような場合には、取手を強制的に引き起こすことは容易ではない。
【０００６】
一方、上記した跳ね上げタイプのハンドル装置は、取手を引き起こすというワンタッチの動作で開錠することができるので、操作が簡単であるという利点がある。その反面、風が強い時や誤って人の体にあたった時など、取手を引く１つ動作と同時に開くこととなり不意に扉が開いてしまう恐れがあった。
【先行技術文献】
【特許文献】
【０００７】
【特許文献１】特開平８−０２３１７３号公報
【特許文献２】特開２００９−１９１５６９号公報
【発明の概要】
【発明が解決しようとする課題】
【０００８】
従って本発明の目的は上記した従来の問題点を解決し、錆や砂などの異物が入り込んだ場合にも取手を起立させ易いうえ、ワンタッチの動作で扉が開いてしまうことのない電気電子機器収納用箱のハンドル装置を提供することである。
【課題を解決するための手段】
【０００９】
上記の課題を解決するためになされた本発明は、電気電子機器収納用箱の扉に取付けられるハンドル本体と、このハンドル本体に起伏可能に設けられ係止爪を動作させる取手と、取手の操作を可能とする操作部と、この操作部を操作したときに取手をばね力によって所定位置まで引き起こす引き起こし部と、を備えたことを特徴とするものである。
【００１０】
なお請求項２のように、操作部を更に操作すると、操作部に加わる荷重が引き起こし部に伝わり、取手を強制的に引き起こす構造とすることが好ましい。また請求項３のように、取手が反転ばねによって、引き起こし状態と定常状態の何れかの方向に付勢されているものであることが好ましい。
【００１１】
また請求項４のように、引き起こし部のばね力による取手の引き起こし量を、取手が反転ばねによって定常状態に付勢されている範囲内とすることが好ましい。さらに請求項５のように、操作部は常時取手端部に係合する方向へばね付勢されたものとすることができる。
【発明の効果】
【００１２】
請求項１の発明によれば、操作部と連動して取手をばね力によって引き起こす引き起こし部により、錆や砂などの異物が入り込んだ場合にも取手を起立させ易い利点がある。
【００１３】
請求項２の発明によれば、操作部にかかる荷重をそのまま引き起こし部に加え、引き起こし部が強制的に取手を引き起こすので、さらに強力に取手を引き起こすことができる。
【００１４】
請求項３の発明によれば、反転ばねを用いたハンドルであっても、操作部の操作によって取手を引き起こすことができる。
【００１５】
請求項４の発明によれば、操作部を操作しても取手が起立状態までは起き上がらないので、ワンタッチで扉のロックが外れて開錠状態となることがない。
【００１６】
請求項５の発明によれば、適切に取手の閉状態を維持できる。
【図面の簡単な説明】
【００１７】
【図１】定常状態（閉鎖状態）を示す断面図である。
【図２】操作部を操作した状態を示す断面図である。
【図３】取手が所定位置まで引き起こされた状態を示す断面図である。
【図４】操作部を更に操作した状態を示す断面図である。
【図５】取手を完全に引き起こした状態を示す断面図である。
【図６】定常状態（閉鎖状態）を示す斜視図である。
【図７】操作部を更に操作した状態を示す斜視図である。
【図８】取手を完全に引き起こした状態を示す斜視図である。
【図９】操作部の裏面斜視図である。
【図１０】トグル機構の説明図である。
【発明を実施するための形態】
【００１８】
以下に本発明の実施形態を説明する。
図１〜図５は本発明の第１の実施形態の各作動状態を示す断面図であり、図６は図１に対応する斜視図、図７は図４に対応する斜視図、図８は図５に対応する斜視図である。図１において、１０は電気電子機器収納用箱の扉に取付けられるハンドル本体である。このハンドル本体１０は角枠状のもので、取手１１が第１軸１２によって、引き起こし可能に枢着されている。またハンドル本体１０の中央付近の裏面側には、第４軸１４によって係止爪１３が枢着されている。係止爪１３は電気電子機器収納用箱の箱本体側と係合して、扉を鎖錠するものである。
【００１９】
取手１１の裏面と係止爪１３とは、リンクプレート１５によって連結されている。すなわち、取手１１とリンクプレート１５とは第３軸１７により連結され、リンクプレート１５と係止爪１３とは第２軸１８により連結されている。取手１１が開いた状態から閉じる方向に動かされると、第３軸１７は第１軸１２を中心として時計方向に円弧運動を行い、それに連れて係止爪１３が第４軸１４を中心として反時計方向に揺動してロック動作を行なうこととなる。このリンク機構は、第１軸１２と第２軸１８とを結ぶ直線が中立線となり、第３軸がこの中立線を越えて下側（ハンドル本体１０から遠い側）に移動すると、係止爪１３を時計方向に戻す力を加えても取手１１を動かすことができない、いわゆるトグル機構を構成している。図１０にこの機構の説明図を示す。
【００２０】
このため取手１１をハンドル本体１０に密着させた図１の状態では、確実なロック状態となる。このロック状態を解除するには、中立線を越えて取手１１を引き起こす必要がある。なお従来と同様、取手１１とハンドル本体１０との間には反転ばね（図示せず）が設けられており、常時は取手１１を閉じる方向にばね力を作用させているが、中立線を越えて取手１１をさらに引き上げると、取手１１を跳ね上げる方向にばね力を作用させる構造となっている。
【００２１】
ハンドル本体１０の取手１１の先端側の端部には、取手１１の操作を可能とする操作部２０と、この操作部２０を操作したときに取手１１を所定位置まで引き起こす引き起こし部２１とが、第５軸２２によって枢着されている。操作部２０は図１に示されるように押ボタン状のものであるが、その取手１１側の下面に取手１１の先端の突起２３を抑える係合部２４を備えている。
【００２２】
引き起こし部２１は第５軸２２を挟んで、操作部２０により押下げられる押圧部２５と、取手１１の先端部の下方に延びるアーム部２６とを備えている。この実施形態では操作部２０は引き起こし部２１とは別部材であり、図３に示すつるまきばね２８のばね力によって常時は図１の上方位置、即ち取手端部に係合する方向へ付勢されているが、図４に示すように操作部２０を押し込めば、引き起こし部２１の押圧部２５と密着して引き起こし部２１を時計方向に搖動させることができるようになっている。
【００２３】
この引き起こし部２１の第５軸２２には、つる巻ばね２８（図４参照）が設けられている。このつる巻ばね２８は引き起こし部２１を時計方向、すなわち取手１１の先端部を押し上げる方向に付勢している。しかし図１の定常状態においては、操作部２０の係合部２４が取手１１の先端の突起２３を抑えているため、取手１１が押し上げられることはなく、図１の状態が保持される。
【００２４】
図１に示す定常状態から操作部２０を図２のように押圧すると、操作部２０の係合部２４は取手１１の先端の突起２３から外れる。するとつる巻ばね２８のばね力により引き起こし部２１が時計方向に回転し、取手１１の先端を図３のように所定位置まで押し上げる。しかしつる巻ばね２８による押し上げストロークは小さいため、この所定位置は前記したトグル機構の中立線を越えないようになっている。すなわち、引き起こし部２１のばね力による取手１１の引き起こし量は、取手１１が反転ばねによって定常状態（閉じる方向）に付勢されている範囲内とした。
【００２５】
取手１１の反転ばねよりもつる巻ばね２８を強く設定しておけば、取手１１は図３の位置で停止する。この状態から取手１１を指先で引き上げれば、トグル機構はその中立線を越えて動き、図５に示すように従来と同様に係止爪１３は時計方向に回転して鎖錠状態が解除される。以上に説明したように本発明のハンドル装置は、ワンタッチで取手１１が開いてしまうことがない。
【００２６】
また本発明のハンドル装置は、操作部２０を操作して取手１１を所定位置まで上昇させ、その後は人手によって取手１１を引き上げる構造としたため操作が分かり易いが、この方式は従来技術の項において記したように、錆や砂などの異物が入り込んだ場合には操作部２０を操作しても取手１１が図２の状態のまま動かなくなるおそれがある。しかし図４に示すようにこの状態から更に深く操作部２０を押し込めば、操作部２０に加わる荷重が引き起こし部２１に伝わり、引き起こし部２１のアーム部２６が取手１１を強制的に引き起こすことができる。このため錆や砂などの異物が入り込んだ場合にも取手１１を強制的に起立させることができる。
【００２７】
なお、上記した実施形態では操作部２０と引き起こし部２１とを別部材としたが、これらを一体化することもできる。また操作部２０は実施例のような押ボタン式とするほか、後方にスライドさせて取手１１の先端部との係合を解除するスライド方式とすることもできる。
【００２８】
以上に説明したように、本発明の電気電子機器収納用箱のハンドル装置は、錆や砂などの異物が入り込んだ場合にも取手１１を起立させることができるうえ、ワンタッチの動作で扉が開いてしまうことのない利点がある。
【符号の説明】
【００２９】
１０  ハンドル本体
１１  取手
１２  第１軸
１３  係止爪
１４  第４軸
１５  リンクプレート
１７  第３軸
１８  第２軸
２０  操作部
２１  引き起こし部
２２  第５軸
２３  突起
２４  係合部
２５  押圧部
２６  アーム部
２８  つる巻ばね
【図１】
2014163096.tif 000003
【図２】
2014163096.tif 000004
【図３】
2014163096.tif 000005
【図４】
2014163096.tif 000006
【図５】
2014163096.tif 000007
【図６】
2014163096.tif 000008
【図７】
2014163096.tif 000009
【図８】
2014163096.tif 000010
【図９】
2014163096.tif 000011
【図１０】
2014163096.tif 000012